(57)【要約】【課題】商品を載置するための有効容積が低減されることを抑制すること。【解決手段】前面に開口１ｃを有したケース本体１の内部に前方に向けてブラケット部材２１が配設され、ブラケット部材２１の内側にスライダ２４を介して取り付けられた補助側壁部材２２の上部に棚板３０が支持されることによって、棚板３０が開口１ｃを通じて前後方向に沿ってスライド移動可能な商品載置棚１０が構成されたショーケースにおいて、棚板３０は、前端部が棚支持軸２２３を介して補助側壁部材２２に支持され、棚支持軸２２３を中心に後端縁部が補助側壁部材２２に対して上下に移動可能に配設されており、補助側壁部材２２の外側において水平姿勢と傾斜姿勢との間で揺動可能に設けられ、ブラケット部材２１に外側に突出する態様で設けられた突片２１１ｃに傾斜姿勢で載置される場合に、棚板３０を前端縁部が低くなる態様で傾斜させるアーム部材２３２を備えている。【選択図】図１５
2018126484.tif 000002
【特許請求の範囲】
【請求項１】
前面に開口を有したケース本体の内部に前方に向けてブラケット部材が配設され、該ブラケット部材の内側にスライダを介して取り付けられた補助側壁部材の上部に棚板が支持されることによって、前記棚板が前記開口を通じて前後方向に沿ってスライド移動可能な商品載置棚が構成されたショーケースにおいて、
前記棚板は、前端部が棚支持軸を介して前記補助側壁部材に支持され、前記棚支持軸を中心に後端縁部が前記補助側壁部材に対して上下に移動可能に配設されており、
前記補助側壁部材の外側において水平姿勢と傾斜姿勢との間で揺動可能に設けられ、前記ブラケット部材に外側に突出する態様で設けられた突部に前記傾斜姿勢で載置される場合に、前記棚板を前端縁部が低くなる態様で傾斜させるアーム部材を備えたことを特徴とするショーケース。
【請求項２】
前記アーム部材は、前記ブラケット部材の外側で前記棚板に取り付けられた傾斜支持部材に前端部がアーム支持軸を介して該アーム支持軸を中心に揺動可能に支持され、かつ前記傾斜姿勢となる場合に、上壁部が前記棚板を押圧して該棚板を傾斜させることを特徴とする請求項１に記載のショーケース。
【請求項３】
前記アーム部材は、前記水平姿勢となる場合には、前記棚板を水平にさせることを特徴とする請求項１又は請求項２に記載のショーケース。
【請求項４】
前記アーム部材は、常態においては前記水平姿勢となるものであり、かつ該水平姿勢の状態で前記棚板が後方に向けてスライド移動した場合、前記突部に載置しないで前記棚板を水平にさせることを特徴とする請求項１又は請求項２に記載のショーケース。
【請求項５】
前記傾斜支持部材に後端部がレバー支持軸を介して該レバー支持軸を中心に揺動可能に支持され、かつ該傾斜支持部材よりも前方に突出する前端部が操作されることにより揺動して前記後端部に設けられた作用片が前記アーム部材の前端部を押圧して該アーム部材を揺動させて前記傾斜姿勢にさせるレバー部材を備えたことを特徴とする請求項２〜４のいずれか１つに記載のショーケース。
【請求項６】
前記突部は、前記ブラケット部材に切り起こし状に形成されたことを特徴とする請求項１〜５のいずれか１つに記載のショーケース。
【請求項７】
前記レバー部材の前端部が操作されることにより該レバー部材が揺動した場合に、該レバー部材を揺動した姿勢に維持することで前記アーム部材を傾斜姿勢に保持する姿勢保持部材を備えたことを特徴とする請求項５に記載のショーケース。
【請求項８】
前記ブラケット部材の内側において該ブラケット部材に取り付けられたガイド支持部材に設けられ、前記ケース本体の内部に形成された収納室を上下に区画するための中間仕切部材が差し込まれた場合に該中間仕切部材を支持する差込ガイドを備えたことを特徴とする請求項１〜７に記載のショーケース。
【発明の詳細な説明】
【技術分野】
【０００１】
本発明は、ケース本体の内部に商品を載置するための商品載置棚を備えたショーケースに関するものである。
【背景技術】
【０００２】
従来、例えばスーパーマーケットやコンビニエンスストア等の店舗では、販売商品を商品載置棚に載置させた状態でケース本体の内部に収納するようにしたショーケースが多く適用されている。商品載置棚は、例えば左右一対のブラケット部材の間に棚板を支持させることによって構成されたものである。この種のショーケースには、販売商品を見易くする目的で、あるいは商品載置棚の前方に載置された商品が取り出された場合に後方に載置された販売商品を前方に滑り出させる目的で、棚板の前端縁部が低くなるように傾斜して配置することができるものが提供されている（例えば、特許文献１参照）。
【先行技術文献】
【特許文献】
【０００３】
【特許文献１】特開２００３−２４５１７０号公報
【発明の概要】
【発明が解決しようとする課題】
【０００４】
ところで、上述したショーケースでは、棚板を傾斜させるための傾斜支持部材がブラケット部材の内側に設置されているので、ブラケット部材間における商品を載置するための有効容積が低減してした。このような有効容積の低減は、販売商品の収納容量を減少させることを招来し、好ましいものではない。
【０００５】
本発明は、上記実情に鑑みて、商品を載置するための有効容積が低減されることを抑制することができるショーケースを提供することを目的とする。
【課題を解決するための手段】
【０００６】
上記目的を達成するため、本発明に係るショーケースは、前面に開口を有したケース本体の内部に前方に向けてブラケット部材が配設され、該ブラケット部材の内側にスライダを介して取り付けられた補助側壁部材の上部に棚板が支持されることによって、前記棚板が前記開口を通じて前後方向に沿ってスライド移動可能な商品載置棚が構成されたショーケースにおいて、前記棚板は、前端部が棚支持軸を介して前記補助側壁部材に支持され、前記棚支持軸を中心に後端縁部が前記補助側壁部材に対して上下に移動可能に配設されており、前記補助側壁部材の外側において水平姿勢と傾斜姿勢との間で揺動可能に設けられ、前記ブラケット部材に外側に突出する態様で設けられた突部に前記傾斜姿勢で載置される場合に、前記棚板を前端縁部が低くなる態様で傾斜させるアーム部材を備えたことを特徴とする。
【０００７】
また本発明は、上記ショーケースにおいて、前記アーム部材は、前記ブラケット部材の外側で前記棚板に取り付けられた傾斜支持部材に前端部がアーム支持軸を介して該アーム支持軸を中心に揺動可能に支持され、かつ前記傾斜姿勢となる場合に、上壁部が前記棚板を押圧して該棚板を傾斜させることを特徴とする。
【０００８】
また本発明は、上記ショーケースにおいて、前記アーム部材は、前記水平姿勢となる場合には、前記棚板を水平にさせることを特徴とする。
【０００９】
また本発明は、上記ショーケースにおいて、前記アーム部材は、常態においては前記水平姿勢となるものであり、かつ該水平姿勢の状態で前記棚板が後方に向けてスライド移動した場合、前記突部に載置しないで前記棚板を水平にさせることを特徴とする。
【００１０】
また本発明は、上記ショーケースにおいて、前記傾斜支持部材に後端部がレバー支持軸を介して該レバー支持軸を中心に揺動可能に支持され、かつ該傾斜支持部材よりも前方に突出する前端部が操作されることにより揺動して前記後端部に設けられた作用片が前記アーム部材の前端部を押圧して該アーム部材を揺動させて前記傾斜姿勢にさせるレバー部材を備えたことを特徴とする。
【００１１】
また本発明は、上記ショーケースにおいて、前記突部は、前記ブラケット部材に切り起こし状に形成されたことを特徴とする。
【００１２】
また本発明は、上記ショーケースにおいて、前記レバー部材の前端部が操作されることにより該レバー部材が揺動した場合に、該レバー部材を揺動した姿勢に維持することで前記アーム部材を傾斜姿勢に保持する姿勢保持部材を備えたことを特徴とする。
【００１３】
また本発明は、上記ショーケースにおいて、前記ブラケット部材の内側において該ブラケット部材に取り付けられたガイド支持部材に設けられ、前記ケース本体の内部に形成された収納室を上下に区画するための中間仕切部材が差し込まれた場合に該中間仕切部材を支持する差込ガイドを備えたことを特徴とする。
【発明の効果】
【００１４】
本発明によれば、補助側壁部材の外側において水平姿勢と傾斜姿勢との間で揺動可能に設けられたアーム部材が、ブラケット部材に外側に突出する態様で設けられた突部に傾斜姿勢で載置される場合に、棚板を前端縁部が低くなる態様で傾斜させるので、ブラケット部材間における商品を載置するための有効容積には影響を与えない。従って、商品を載置するための有効容積が低減されることを抑制することができるという効果を奏する。
【図面の簡単な説明】
【００１５】
【図１】図１は、本発明の実施の形態であるショーケースを示す断面側面図である。
【図２】図２は、図１に示した１つの商品載置棚を示す斜視図である。
【図３】図３は、図１に示した１つの商品載置棚を示す分解斜視図である。
【図４】図４は、図１に示した１つの商品載置棚の要部を拡大して示す拡大斜視図である。
【図５】図５は、図１に示した１つの商品載置棚の要部を拡大して示す拡大斜視図である。
【図６】図６は、図１に示した１つの商品載置棚の要部を拡大して示す拡大斜視図である。
【図７】図７は、図２及び図３に示した左方の棚支持部材を示す分解斜視図である。
【図８】図８は、図２〜図７に示した左方の棚支持部材を構成するブラケット部材を示す斜視図である。
【図９】図９は、図２〜図７に示した左方の棚支持部材を構成する補助側壁部材を示す分解斜視図である。
【図１０】図１０は、図２〜図７に示した左方の棚支持部材を構成する傾斜支持ユニットを示す分解斜視図である。
【図１１】図１１は、棚板が収納位置に配置された状態を示す商品載置棚の側面図である。
【図１２】図１２は、棚板が補充位置に配置された状態を示す商品載置棚の側面図である。
【図１３】図１３は、棚板が補充位置に配置され、レバー部材に操作力が付与された場合を拡大して示す拡大側面図である。
【図１４】図１４は、棚板が補充位置から収納位置にスライド移動する状態を示す商品載置棚の側面図である。
【図１５】図１５は、棚板が収納位置に配置された状態を示す商品載置棚の側面図である。
【図１６】図１６は、商品載置棚の変形例１を模式的に示す模式図である。
【図１７】図１７は、商品載置棚の変形例１を模式的に示す模式図である。
【図１８】図１８は、商品載置棚の変形例２の要部を拡大して示す斜視図である。
【図１９】図１９は、図１８に示した商品載置棚に中間仕切部材を挿入した状態を示す斜視図である。
【図２０】図２０は、図１８に示した商品載置棚に中間仕切部材を挿入した状態を示す側面図である。
【図２１】図２１は、図１に示したデッキを示す斜視図である。
【図２２】図２２は、図１に示したデッキを示す斜視図である。
【図２３】図２３は、図１に示したデッキを示す断面側面図である。
【図２４】図２４は、図２１〜図２３に示したデッキの要部を示す斜視図である。
【図２５】図２５は、図２１〜図２３に示したデッキの要部を示す側面図である。
【図２６】図２６は、図２１〜図２３に示したデッキの要部を示す側面図である。
【図２７】図２７は、図２１〜図２４に示したデッキの変形例を示す断面側面図である。
【図２８】図２８は、図２７に示したブラシ部材を示す斜視図である。
【図２９】図２９は、図２７に示したデッキの要部を模式的に示す断面側面図である。
【図３０】図３０は、図２７に示したデッキの要部を模式的に示す断面側面図である。
【図３１】図３１は、図２７に示したデッキの要部を模式的に示す断面側面図である。
【図３２】図３２は、図２７に示したデッキの要部を模式的に示す断面側面図である。
【図３３】図３３は、図２１〜図２４に示したデッキの他の変形例を示す断面側面図である。
【図３４】図３４は、図３３に示したデッキの要部を示す斜視図である。
【図３５】図３５は、図３３に示したデッキの要部を示す側面図である。
【図３６】図３６は、図３３に示したデッキの要部を示す側面図である。
【図３７】図３７は、図３３に示したデッキの要部を示す側面図である。
【図３８】図３８は、図３３に示したデッキの要部を示す側面図である。
【図３９】図３９は、本発明の実施の形態である商品載置棚の他の変形例を示す拡大側面図である。
【発明を実施するための形態】
【００１６】
以下に添付図面を参照して、本発明に係るショーケースの好適な実施の形態について詳細に説明する。
【００１７】
図１は、本発明の実施の形態であるショーケースを示す断面側面図である。ここで例示するショーケースは、例えばスーパーマーケットやコンビニエンスストア等の店舗において販売商品をケース本体１の内部に収納するようにしたものである。
【００１８】
本実施の形態では特に、要冷蔵商品を収納するための冷蔵用ショーケースを例示している。すなわち、このショーケースでは、ケース本体１の内部に背面板２が設けられることによって背面板２とケース本体１の後壁１ａとの間に通風ダクト（通風路）３が構成されるとともに、背面板２よりも前方に収納室４が構成されている。
【００１９】
通風ダクト３の内部には、蒸発器５や送風ファン６が配設されている。蒸発器５は、図示しないコンデンシングユニットとともに冷凍サイクルを構成し、通風ダクト３を通過する空気との間において熱交換を行うものである。
【００２０】
このショーケースでは、コンデンシングユニット及び送風ファン６を駆動すれば、蒸発器５を通過した空気が通風ダクト３を通じて収納室４に循環供給され、収納室４が所望の冷蔵温度に維持されることになる。
【００２１】
ケース本体１は、前面１ｂに開口（以下、前面開口ともいう）１ｃを有した箱状を成すもので、収納室４に複数段の商品載置棚１０が備えられている。商品載置棚１０は、左右２つの棚支持部材２０の間に棚板３０を支持させることによって構成されたものである。また収納室４には、底部を構成するデッキ４０が備えられている。以下に、商品載置棚１０及びデッキ４０について説明する。
【００２２】
＜商品載置棚＞
まず商品載置棚１０について説明する。尚、収納室４における各段の商品載置棚１０は、同様の構成を有したものである。従って、以下には１つの商品載置棚１０について説明を行う。
【００２３】
図２〜図６は、それぞれ図１に示した１つの商品載置棚を示すもので、図２は斜視図、図３は分解斜視図、図４〜図６は要部を拡大して示す拡大斜視図である。
【００２４】
棚板３０は、販売商品が載置される部分であり、図２及び図３に示すように、矩形状を成す棚枠３１の内部に載置板３２を支持させることによって構成されている。
【００２５】
棚支持部材２０は、図１に示すように、背面板２の両側前面１ｂに取り付けた棚支柱７から前方に突出するように配設されたものである。この棚支持部材２０は、図７に示すように、ブラケット部材２１、補助側壁部材２２及び傾斜支持ユニット２３を備えて構成されている。
【００２６】
２つの棚支持部材２０は、互いに対称となるように構成されたものである。以下においては便宜上、２つの棚支持部材２０において互いに近接した方を内側と称し、互いに離反した方向を外側と称して説明する。また、左方の棚支持部材２０について説明し、右方の棚支持部材２０の説明は割愛する。
【００２７】
図８は、図２〜図７に示した左方の棚支持部材を構成するブラケット部材を示す斜視図である。この図８にも示すように、ブラケット部材２１は、棚支持部材２０のベースとなるもので、基壁部２１１、上壁部２１２及び係止壁部２１３を一体に成形することによって構成されている。
【００２８】
基壁部２１１は、前後方向が長手方向となる長尺状部分である。この基壁部２１１の後端部には、棚支柱７に係止するための係止片２１１ａが該基壁部２１１の後端縁部２１１ｂより後方に突出する態様で設けられている。かかる係止片２１１ａを棚支柱７に設けられた装着孔（図示せず）に挿入させることにより、該係止片２１１ａと基壁部２１１の後端縁部２１１ｂとの協働により、ブラケット部材２１を棚支柱７の任意の高さに略水平の片持ち状態で支持させることが可能である。
【００２９】
また基壁部２１１には、突片（突部）２１１ｃが設けられている。突片２１１ｃは、基壁部２１１の長手方向の略中央部に形成された舌片状部分を外側（図８では左方）に屈曲させて切り起こし状に形成されている。この突片２１１ｃは、前方から後方に向かうに連れて漸次上方に傾斜する態様で形成されている。
【００３０】
上壁部２１２は、基壁部２１１の上端から内側（図８では右方）に向けて略直角に屈曲した平板状部分である。係止壁部２１３は、基壁部２１１の前端部の下端から内側に向けて略直角に屈曲した部分である。
【００３１】
図９は、図２〜図７に示した左方の棚支持部材を構成する補助側壁部材を示す分解斜視図である。この図９にも示すように、補助側壁部材２２は、前後方向が長手方向となる長尺状部材である。この補助側壁部材２２の下端部分は、外側（図９では左方）に向けて略直角に屈曲して形成されている。また補助側壁部材２２の前端部の上端部分は、外側に向けて略直角に屈曲して形成されている。
【００３２】
このような補助側壁部材２２は、スライダ２４を介してブラケット部材２１の基壁部２１１の内側に取り付けられている。スライダ２４は、従来公知のものであるので、その説明は割愛する。これにより、補助側壁部材２２は、ブラケット部材２１に対して前後方向に沿ってスライド移動可能である。
【００３３】
上記補助側壁部材２２には、棚ストッパ部２２１及び棚支持部２２２が設けられている。棚ストッパ部２２１は、例えば樹脂により成形されたものであり、補助側壁部材２２の前端部分に係合されている。この棚ストッパ部２２１は、従来公知のものであり、補助側壁部材２２が最も後方に配置される場合に、図４に示したように、一部が係止壁部２１３に係止して補助側壁部材２２が前方に向けてスライド移動することを規制するものである。
【００３４】
棚支持部２２２は、棚支持基部２２２ａと棚支持取付部２２２ｂとを一体に成形することによって構成されている。棚支持基部２２２ａは、補助側壁部材２２の内側面（図９では右側面）に対向する平板状部分である。この棚支持基部２２２ａの中央部分には棚支持貫通孔２２２ｃが形成されている。棚支持取付部２２２ｂは、棚支持基部２２２ａの上端より外側（図９では左方）に向けて略直角に屈曲して形成された平板状部分である。
【００３５】
このような棚支持部２２２は、棚支持貫通孔２２２ｃを内側から貫通する棚支持軸２２３が補助側壁部材２２の前端部に形成された支持孔２２４を貫通して取り付けられることにより、該補助側壁部材２２に対して該棚支持軸２２３を中心に回動可能である。そして、棚支持部２２２は、図７に示すように、棚支持取付部２２２ｂが棚枠３１の左側部の前端部の下部に取り付けられている。これにより、棚板３０は、前端部が棚支持軸２２３（棚支持部２２２）を介して補助側壁部材２２に支持され、棚支持軸２２３を中心に後端縁部が補助側壁部材２２に対して上下に移動可能に配設されている。また、補助側壁部材２２は、最も後方の位置に配置される場合には、棚板３０を収納位置に配置させ、最も前方に配置される場合には、棚板３０を補充位置に配置させるものである。
【００３６】
図１０は、図２〜図７に示した左方の棚支持部材を構成する傾斜支持ユニットを示す分解斜視図である。この図１０にも示すように、傾斜支持ユニット２３は、傾斜支持部材２３１、アーム部材２３２及びレバー部材２３３を備えて構成されている。
【００３７】
傾斜支持部材２３１は、傾斜支持基部２３１ａと傾斜支持取付部２３１ｂとを一体に成形することによって構成されている。傾斜支持基部２３１ａは、略矩形状に形成され、前後方向が上下方向よりも長手となる平板状部分である。傾斜支持取付部２３１ｂは、傾斜支持基部２３１ａの上端より内側（図１０では右方）に向けて略直角に屈曲して形成された平板状部分である。
【００３８】
このような傾斜支持部材２３１は、図７に示すように、ブラケット部材２１の外側において、傾斜支持取付部２３１ｂが棚枠３１の左側部の前端部の下部に取り付けられている。これにより、傾斜支持部材２３１は、ブラケット部材２１の外側において、補助側壁部材２２とともに前後方向に沿ってスライド移動可能である。
【００３９】
アーム部材２３２は、アーム基部２３２ａ、第１アーム当接片２３２ｂ、第２アーム当接片（上壁部）２３２ｃ及びアーム下壁部２３２ｄを一体に成形することによって構成されている。アーム基部２３２ａは、前後方向が長手方向となる長尺状部分である。このアーム基部２３２ａは、後端部が前端部より外側となるようにその途中で屈曲して形成されている。アーム基部２３２ａの前端部には、アーム支持貫通孔２３２ａ１が形成されている。アーム基部２３２ａの後端部は、後方に向かうに連れて上下寸法が漸次小さくなる態様で形成されている。
【００４０】
第１アーム当接片２３２ｂは、アーム基部２３２ａの前端部に形成された舌片状部分を外側（図１０では左方）に略直角に屈曲させて形成されている。第２アーム当接片２３２ｃは、アーム基部２３２ａの後端部に形成された舌片状部分を内側に略直角に屈曲させて形成されている。
【００４１】
アーム下壁部２３２ｄは、アーム基部２３２ａの後端部の下端より内側に向けて略直角に屈曲して形成された平板状部分である。
【００４２】
このようなアーム部材２３２は、アーム支持貫通孔２３２ａ１を外側から貫通するアーム支持軸２３５が傾斜支持部材２３１に螺合することにより、該傾斜支持部材２３１に対して該アーム支持軸２３５を中心に揺動可能である。
【００４３】
レバー部材２３３は、レバー基部２３３ａ、第１レバー当接片（作用片）２３３ｂ及び第２レバー当接片２３３ｃを一体に成形することによって構成されている。レバー基部２３３ａは、前後方向が長手方向となる長尺状部分である。このレバー基部２３３ａは、後端部にレバー支持貫通孔２３３ａ１が形成されている。またレバー基部２３３ａの前端部は、後端部よりも上下方向の寸法が大きく形成されており、前方に向かうに連れて上下寸法が漸次小さくなる態様で形成されている。かかる前端部の上端及び下端は外側に略直角に屈曲されている。更に前端部の前端縁部は、傾斜支持部材２３１よりも前方に突出している。
【００４４】
第１レバー当接片２３３ｂは、アーム基部２３２ａの後端部の下端に形成された舌片状部分を外側に略直角に屈曲させて形成されている。この第１レバー当接片２３３ｂの後端は、上方に向けて略直角に屈曲されている。第２レバー当接片２３３ｃは、アーム基部２３２ａの後端部の上端に形成された舌片状部分を外側に略直角に屈曲させて形成されている。
【００４５】
このようなレバー部材２３３は、レバー支持貫通孔２３３ａ１を外側から貫通するレバー支持軸２３６が傾斜支持部材２３１に螺合することにより、該傾斜支持部材２３１に対して該レバー支持軸２３６を中心に揺動可能である。このレバー支持軸２３６は、傾斜支持部材２３１において、アーム支持軸２３５に対して前方側上部に設けられている。これにより、レバー部材２３３は、第１レバー当接片２３３ｂが第１アーム当接片２３２ｂに当接可能である。
【００４６】
図１１は、棚板が収納位置に配置された状態を示す商品載置棚の側面図である。この図１１に示すように、棚枠３１がブラケット部材２１の上壁部２１２に載置されて棚板３０が水平状態にある場合、第２レバー当接片２３３ｃが棚板３０（棚枠３１）に当接されることにより、レバー部材２３３が水平姿勢となる。
【００４７】
また、レバー部材２３３が水平姿勢となることにより、第１レバー当接片２３３ｂに第１アーム当接片２３２ｂが当接されるアーム部材２３２も水平姿勢となる。アーム部材２３２が水平姿勢となることにより、第２アーム当接片２３２ｃは棚板３０から離隔しており、アーム下壁部２３２ｄが、図４及び図５に示したように、ブラケット部材２１の突片２１１ｃよりも下方に位置している。
【００４８】
このような状態から棚ストッパ部２２１と係止壁部２１３との係止状態を解除させて補助側壁部材２２を前方に向けてスライド移動させることにより、棚板３０も水平状態のまま前方にスライド移動し、図１２に示すように棚板３０を補充位置に配置させる。
【００４９】
棚板３０を補充位置に配置させた状態でレバー部材２３３に操作力を付与することにより、図１３に示すように、レバー基部２３３ａの前端部の上端が棚板３０に当接するまで該レバー部材２３３を揺動させて維持する。これによりレバー部材２３３は、前方に向かうに連れて漸次上方に傾斜する傾斜姿勢となって、操作力が付与され続けることにより傾斜姿勢に保持される。
【００５０】
このレバー部材２３３の揺動により第１レバー当接片２３３ｂに当接する第１アーム部材２３２が下方に押圧されることにより、アーム部材２３２は、第２アーム当接片２３２ｃが棚板３０に当接するまで揺動し、後方に向かうに連れて漸次上方に傾斜する傾斜姿勢となる。
【００５１】
アーム部材２３２及びレバー部材２３３をともに傾斜姿勢に維持して、図１４に示すように、補助側壁部材２２を後方に向けてスライド移動させると、アーム部材２３２のアーム下壁部２３２ｄが突片２１１ｃに載置された状態で該突片２１１ｃに摺接する。このようにアーム下壁部２３２ｄが突片２１１ｃに載置された後は、レバー部材２３３に対する操作力を解除してもレバー部材２３３は傾斜姿勢に保持される。
【００５２】
このようにアーム下壁部２３２ｄが突片２１１ｃに載置された状態で補助側壁部材２２を後方に向けてスライド移動させると、第２アーム当接片２３２ｃが棚板３０を押圧することにより、棚板３０は後端部が上方に押し上げられる。そして、図１５に示すように、棚板３０が収納位置に配置された場合、該棚板３０は前端縁部が低くなる態様で傾斜状態となる。
【００５３】
尚、かかる棚板３０を傾斜状態から水平状態に戻す場合には、レバー部材２３３に対する操作力が既に解除されているので、棚板３０を補充位置までスライド移動させるだけでよい。これにより、棚板３０の自重によりアーム部材２３２及びレバー部材２３３はともに水平姿勢となる。そして、アーム部材２３２及びレバー部材２３３が水平姿勢の状態で棚板３０を収納位置までスライド移動させることで、棚板３０が水平状態で収納室４に設置される。
【００５４】
上記商品載置棚１０を有するショーケースによれば、補助側壁部材２２の外側において水平姿勢と傾斜姿勢との間で揺動可能に設けられたアーム部材２３２が、ブラケット部材２１に外側に突出する態様で設けられた突片２１１ｃに傾斜姿勢で載置される場合に、棚板３０を前端縁部が低くなる態様で傾斜させるので、ブラケット部材２１間における商品を載置するための有効容積には影響を与えない。従って、商品を載置するための有効容積が低減されることを抑制することができる。
【００５５】
上記ショーケースによれば、傾斜支持部材２３１に後端部がレバー支持軸２３６を介して該レバー支持軸２３６を中心に揺動可能に支持されたレバー部材２３３が、傾斜支持部材２３１よりも前方に突出する前端部が操作されることにより揺動して後端部に設けられた第１レバー当接片２３３ｂがアーム部材２３２の前端部を押圧して該アーム部材２３２を揺動させて傾斜姿勢にさせるので、棚板３０を水平状態又は傾斜状態への切替操作を前方側から行うことができ、操作性の向上を図ることができる。
【００５６】
＜商品載置棚の変形例１＞
以下に商品載置棚１０の変形例について説明する。図１６及び図１７は、商品載置棚の変形例１を模式的に示す模式図である。これら図１６及び図１７に図示するブラケット部材２１′は、右方のブラケット部材であり、その前端側上端部分には、外側（右方）に向けて屈曲された突部２１３′が形成されている。傾斜支持ユニット２３′は、傾斜支持部材２３１′がブラケット部材２１′の内側に設けられており、該傾斜支持部材２３１′の外側面にアーム部材２３２′及びレバー部材２３３′が設けられている。
【００５７】
アーム部材２３２′は、後端部が傾斜支持部材２３１′に軸支されており、前端部が上下方向に揺動可能なもので、常態においては前端が下方に揺動する。レバー部材２３３′は、アーム部材２３２′よりも前方側において前後方向にスライド移動可能に設けられている。
【００５８】
このような構成の商品載置棚１０′では、図１６に示すように、レバー部材２３３′を最も前方にスライド移動させた状態で棚板３０を収納位置まで後方にスライド移動させると、アーム部材２３２′が突部２１３′に載置されるときに水平姿勢となる。つまり、アーム部材２３２′は水平姿勢で突部２１３′に載置され、この場合には、棚板３０が水平状態となる。
【００５９】
一方、図１７に示すように、レバー部材２３３′を最も後方にスライド移動させると、アーム部材２３２′は傾斜姿勢に保持される。このような状態で棚板３０を収納位置まで後方にスライド移動させると、アーム部材２３２′は傾斜姿勢で突部２１３′に載置される。この場合、棚板３０は傾斜状態となる。
【００６０】
このような商品載置棚１０′においてもブラケット部材２１′の内側には傾斜支持部材２３１′のみを配置させて、アーム部材２３２′やレバー部材２３３′をブラケット部材２１′の上方若しくは外側に配置させることができ、ブラケット部材２１′間における商品を載置するための有効容積には影響を与えない。従って、商品を載置するための有効容積が低減されることを抑制することができる。
【００６１】
＜商品載置棚の変形例２＞
図１８は、商品載置棚の変形例２の要部を拡大して示す斜視図である。尚、上述した実施の形態である商品載置棚と同一の構成要素については同一の符号を付してその説明を省略する。
【００６２】
ここで例示する商品載置棚１０”のブラケット部材２１”は、基壁部２１１、上壁部２１２、係止壁部２１３及び下壁部２１４を一体に成形することによって構成されている。尚、ここでは、左方側のブラケット部材２１”に取り付けられた構造について説明し、右方側のブラケット部材２１”に取り付けられた構造については左右対称となるだけであるので、その説明を割愛する。
【００６３】
下壁部２１４は、基壁部２１１のうち係止壁部２１３よりも後方側の下端から内側に向けて略直角に屈曲した部分である。この下壁部２１４には、ガイド支持部材２５が取り付けられている。
【００６４】
ガイド支持部材２５は、前後方向が長手方向となる部材であり、ガイド基部２５１とガイド取付部２５２とを一体に成形することによって構成されている。ガイド基部２５１は、下壁部２１４の下面に締結部材を介して締結される部分である。ガイド取付部２５２は、ガイド基部２５１の内側（図１８では右方側）の端部より上方に向けて延在する部分である。このガイド取付部２５２の内面には、差込ガイド２６が設けられている。
【００６５】
差込ガイド２６は、前後方向が長手方向となる長尺状部材である。この差込ガイド２６は、ガイド基壁部２６１、ガイド上壁部２６２及びガイド下壁部２６３を一体に成形することによって構成されている。
【００６６】
ガイド基壁部２６１は、前後方向が長手方向となる長尺状部分である。このガイド基壁部２６１は、ガイド取付部２５２の内面に、前方から後方に向かうに連れて漸次上方に傾斜する態様で取り付けられている。ガイド上壁部２６２は、基壁部２１１の上端から内側（図１８では右方）に向けて略直角に屈曲した平板状部分である。ガイド下壁部２６３は、基壁部２１１の下端から内側に向けて略直角に屈曲した部分である。
【００６７】
このような差込ガイド２６は、図２２及び図２３に示すように、中間仕切部材２７の左右両側部に形成された差込端部２７１が前方側から差し込まれた場合に、中間仕切部材２７を支持するものである。ここで中間仕切部材２７は、従来公知のものであり、収納室４を上下に区画するものであり、その後端部分２７２は、背面板２に形成された開口（図示せず）を貫通して通風ダクト３を上下に区画している。かかる中間仕切部材２７は、通風ダクト３を通過する空気を後端部分２７２で取り込んで、内蔵するダクトを通過させ、前端部分に形成された開口２７３を通じて空気を下方に向けて吐出するものである。
【００６８】
上述したように、差込ガイド２６は、ガイド基壁部２６１が前方から後方に向かうに連れて漸次上方に傾斜する態様で取り付けられているので、この差込ガイド２６に支持される中間仕切部材２７は、前方から後方に向かうに連れて漸次上方に傾斜する態様で支持されている。ところで、差込ガイド２６の傾斜角度であるが、棚板３０を補充位置から収納位置に向けて後方にスライド移動する場合に棚板３０と中間仕切部材２７とが当接することを回避するべく、中間仕切部材２７のガイド支持部材２５より上方に出っ張る部分が突片２１１ｃよりも後方側となるように調整されている。
【００６９】
このような構成の商品載置棚１０”では、差込ガイド２６及びガイド支持部材２５を通じて中間仕切部材２７をブラケット部材２１”に固定配置させることができ、この中間仕切部材２７を境界にして収納室４を複数の温度帯に分けることができる。
【００７０】
＜デッキ＞
次にデッキ４０について説明する。図２１〜図２３は、それぞれ図１に示したデッキを示すもので、図２１及び図２２は斜視図、図２３は断面側面図である。ここで例示するデッキ４０は、デッキ側壁部材４１及びデッキ載置板４２を備えて構成されている。
【００７１】
デッキ側壁部材４１は、左右一対のものであり、互いに対称となるように構成されたものである。これらデッキ側壁部材４１は、それぞれ前後方向が長手方向となる長尺状部材である。以下においては便宜上、２つのデッキ側壁部材４１において互いに近接した方を内側と称し、互いに離反した方向を外側と称して説明する。
【００７２】
デッキ載置板４２は、これらデッキ側壁部材４１間に架け渡されるように設置されており、上面が商品を載置する載置面を構成している。
【００７３】
このようなデッキ４０は、デッキ側壁部材４１が、棚支柱７の下端部に係合された左右一対のデッキブラケット部材８の内側にデッキスライダ４３を介して取り付けられており、最も後方の収納位置と、最も前方の補充位置との間でスライド移動可能なものである。尚、デッキ側壁部材４１の前端部は、デッキ載置板４２の前端縁よりも前方に突出している。またデッキ側壁部材４１の前端部は、デッキ４０が収納位置に配置される場合も、デッキブラケット部材８の前端縁よりも前方に突出している。
【００７４】
上記デッキ側壁部材４１の前端部の内側には、デッキ用支持部材４４が配設されている。デッキ用支持部材４４は、図２４にも示すように、底壁部４４１、支持壁部４４２及び内壁部４４３が一体に成形されて構成されている。底壁部４４１は、デッキ側壁部材４１の下方側に位置する平板状部分である。この底壁部４４１は、デッキ側壁部材４１の前方及び外側に突出している。
【００７５】
支持壁部４４２は、底壁部４４１の前端縁部のうちデッキ側壁部材４１の内側に位置する舌片状部分が上方に略直角に屈曲されて形成されている。この支持壁部４４２は、フェンス部材４５を支持するものである。フェンス部材４５は、左右方向が長手方向となる矩形状平板であり、上端がデッキ載置板４２よりも上方に突出する態様で左右のデッキ用支持部材４４に取り付けられている。
【００７６】
これにより、デッキ４０の前端部には、デッキ載置板４２の前端とフェンス部材４５との間に前端開口４０ａが形成されている。この前端開口４０ａは、デッキ４０が収納位置に配置される場合に、収納室４の内部空気を通風ダクト３に吸い込むための吸込口を形成するものである。尚、かかる前端開口４０ａは、多数の小孔が形成された金属製のリターングリル４６により閉塞されている。
【００７７】
内壁部４４３は、底壁部４４１の内側端部を上方に屈曲して形成されたものである。この内壁部４４３は、前端部が後端部よりも内側に突出する態様で途中で屈曲している。内壁部４４３の後端部は、デッキ側壁部材４１の内側に接して締結部材により該デッキ側壁部材４１に締結されて取り付けられている。内壁部４４３の前端部には、上方に開放する支持溝４４３ａが形成されており、該支持溝４４３ａでフィルタ部材５０を支持している。
【００７８】
フィルタ部材５０は、フィルタフレーム５１とフィルタ本体５２とを備えて構成されている。フィルタフレーム５１は、磁性体から形成されており、図２３及び図２４において、上下方向に沿って延在してフィルタ部材５０の後端部を構成する第１フレーム体５１ａと、この第１フレーム体５１ａの下端より前方に向けて延在してフィルタ部材５０の前端部を構成する第２フレーム体５１ｂとを有している。フィルタ本体５２は、微細な孔が多数形成されたフィルタにより構成されており、フィルタフレーム５１の第１フレーム体５１ａ及び第２フレーム体５１ｂの全域を覆う態様で設けられている。
【００７９】
このようなフィルタ部材５０は、第１フレーム体５１ａの上端に左右に突出するフィルタ支持軸（支持軸）５３が形成されており、このフィルタ支持軸５３が上記支持溝４４３ａに架設されることにより、支持軸を中心に揺動可能にデッキ用支持部材４４に支持されている。つまり、フィルタ部材５０は、後端部が上記フィルタ支持軸５３を介してデッキ側壁部材４１（デッキ４０）に支持され、該フィルタ支持軸５３を中心に前端部がデッキ側壁部材４１（デッキ４０）に対して上下に揺動可能に配設されている。
【００８０】
以上のような構成を有するデッキ４０においては、収納位置に配置される場合、図２５に示すように、フィルタ部材５０は、前端部の前端縁がケース本体１の前面開口１ｃの下縁部に載置されることにより、後端部が上下方向に沿って延在し、前端部が前後方向に沿って延在する水平姿勢となっている。この場合、フィルタ部材５０は、デッキ４０の前端開口（吸込口）４０ａと通風ダクト３との間に介在し、前端開口４０ａ（実際にはリターングリル４６の小孔）より吸い込まれる収納室４の内部空気に含まれる塵埃物を除去することができる。
【００８１】
そして、デッキ４０に対する商品補充を行うために、該デッキ４０が前方に向けてスライド移動する場合、フィルタ部材５０も該デッキ４０とともに前方に向けてスライド移動する。この際、フィルタ部材５０の前端部は一部がケース本体１の前面開口１ｃの下縁部に載置された状態で移動するので、フィルタ部材５０は水平姿勢が維持されている。
【００８２】
その後、デッキ４０とともに前方にスライド移動するフィルタ部材５０のフィルタ支持軸５３がケース本体１の前面開口１ｃの下縁部より前方側に位置すると、フィルタ部材５０は、デッキ４０のスライド移動に応じて下方に揺動する。
【００８３】
図２６に示すように、デッキ４０が補充位置に配置される場合、フィルタ部材５０は、下方に揺動して前端部がケース本体１の下方前面１ｂの所定部分に当接する。
【００８４】
上記デッキ４０を有するショーケースによれば、フィルタ部材５０がデッキ４０とともに前方にスライド移動し、しかもデッキ４０が補充位置に配置される場合にフィルタ部材５０が下方に揺動するので、フィルタ部材５０のフィルタ本体５２が露出された状態となり、該フィルタ本体５２に付着した塵埃物を容易に取り除くことができる。従って、フィルタ部材５０の清掃を容易なものとすることができる。
【００８５】
＜デッキの変形例＞
以下にデッキ４０の変形例について説明する。図２７は、図２１〜図２４に示したデッキの変形例を示す断面側面図である。尚、上述した図２１〜図２４に示したデッキ４０と同一の構成要素には同一の符号を付してその説明を適宜省略する。
【００８６】
ここで例示するデッキ４０′は、ブラシ部材６０を備えて構成されている。ブラシ部材６０は、図２８に示すように、ブラシ本体６１と、ブラシ支持軸６２と、ブラシ側壁部６３とを備えて構成されている。
【００８７】
ブラシ本体６１は、左右方向が長手方向となる長尺状部材であり、その長手方向の長さは、フィルタ部材５０のフィルタフレーム５１の左右方向と同程度である。ブラシ支持軸６２は、前後一対となる態様で２つ設けられており、ブラシ本体６１の上端部に取り付けられている。このブラシ支持軸６２の左右方向の長さは、ブラシ本体６１よりも大きくなるように形成されている。
【００８８】
ブラシ側壁部６３は、図２８において、前後方向に沿って延在するブラシ側壁上部６３ａと、このブラシ側壁上部６３ａの前端より下方に向けて延在するブラシ側壁前部６３ｂと、ブラシ側壁上部６３ａの後端より下方に向けて延在するブラシ側壁後部６３ｃとが一体に成形されて形成されている。ブラシ側壁部６３は、ブラシ本体６１の両側域において、ブラシ側壁上部６３ａがブラシ支持軸６２に取り付けられて設けられている。
【００８９】
このようなブラシ部材６０は、ブラシ支持軸６２の両端部がデッキ用支持部材４４に形成された長孔４４３ｂに挿入されることで、該デッキ用支持部材４４間に架設されている。長孔４４３ｂは、デッキ用支持部材４４の内壁部４４３の前端部において、支持溝４４３ａの前方側に形成されている。この長孔４４３ｂは、前後方向に沿って延在する第１長孔部４４３ｂ１と、この第１長孔部４４３ｂ１の後端より後方に向かうに連れて漸次上方に傾斜する第２長孔部４４３ｂ２と、この第１長孔部４４３ｂ１の前端より前方に向かうに連れて漸次上方に傾斜する第３長孔部４４３ｂ３とが連続して形成されて構成されている。また、ブラシ部材６０のブラシ本体６１は、ブラシ支持軸６２が第１長孔部４４３ｂ１に挿入されている場合に、水平姿勢にあるフィルタ部材５０のフィルタ本体５２の表面に接するのに十分な長さが確保されている。
【００９０】
かかるブラシ部材６０は、デッキ用支持部材４４に架設されていることにより、デッキ４０′がスライド移動する際にスライド移動するものである。ところで、ケース本体１における前面開口１ｃの下縁部におけるブラシ側壁部６３の前方部分にはブラシストッパ部６５が設けられている。
【００９１】
以上のような構成を有するデッキ４０′においては、収納位置に配置される場合、図２９に示すように、フィルタ部材５０は、前端部の前端縁がケース本体１の前面開口１ｃの下縁部に載置されることにより、後端部が上下方向に沿って延在し、前端部が前後方向に沿って延在する水平姿勢となっている。この場合、フィルタ部材５０は、デッキ４０′の前端開口４０ａと通風ダクト３との間に介在し、前端開口４０ａ（実際にはリターングリル４６の小孔）より吸い込まれる収納室４の内部空気に含まれる塵埃物を除去することができる。
【００９２】
そして、デッキ４０′に対する商品補充を行うために、該デッキ４０′が前方に向けてスライド移動する場合、フィルタ部材５０及びブラシ部材６０も該デッキ４０′とともに前方に向けてスライド移動する。この際、フィルタ部材５０の前端部は一部がケース本体１の前面開口１ｃの下縁部に載置された状態で移動するので、フィルタ部材５０は水平姿勢が維持されている。
【００９３】
その後、図３０に示すように、ブラシ部材６０のブラシ側壁部６３がブラシストッパ部６５に当接すると、ブラシ部材６０のスライド移動は規制される。つまり、ブラシ部材６０は、ブラシ支持軸６２の両端部が、デッキ４０′のスライド移動に応じて長孔４４３ｂの第１長孔部４４３ｂ１を相対的に後方に向けて移動することとなり、ブラシ本体６１が水平姿勢に維持されているフィルタ部材５０のフィルタ本体５２の表面を摺接する。これによりフィルタ本体５２に付着する塵埃物を掻き取ることができる。
【００９４】
デッキ４０′の前方へのスライド移動が継続されると、ブラシ部材６０は、図３１に示すように、ブラシ支持軸６２の両端部が第１長孔部４４３ｂ１から第２長孔部４４３ｂ２を相対的に移動し、持ち上げられたような姿勢となる。これにより、デッキ４０′とともにスライド移動するフィルタ部材５０が水平姿勢のままブラシ部材６０を乗り越えることができる。
【００９５】
その後、デッキ４０′とともに前方にスライド移動するフィルタ部材５０のフィルタ支持軸５３がケース本体１の前面開口１ｃの下縁部より前方側に位置すると、フィルタ部材５０は、デッキ４０′のスライド移動に応じて下方に揺動する。
【００９６】
図３２に示すように、デッキ４０′が補充位置に配置される場合、フィルタ部材５０は、下方に揺動して前端部がケース本体１の下方前面１ｂの所定部分に当接する。
【００９７】
上記デッキ４０′を有するショーケースによれば、フィルタ部材５０がデッキ４０′とともに前方にスライド移動し、しかもブラシ部材６０がフィルタ本体５２の表面に摺接して塵埃物を掻き取るので、デッキ４０′が補充位置に配置される場合にフィルタ部材５０が下方に揺動することで、フィルタ本体５２に付着した塵埃物を下方に落下させて塵埃物を容易に取り除くことができる。従って、フィルタ部材５０の清掃を容易なものとすることができる。
【００９８】
図３３は、図２１〜図２４に示したデッキの他の変形例を示す断面側面図である。尚、上述した図２１〜図２４に示したデッキ４０と同一の構成要素には同一の符号を付してその説明を適宜省略する。
【００９９】
ここで例示するデッキ４０”は、姿勢調整部材７０を備えて構成されている。姿勢調整部材７０は、図３４に示すように、左右一対となる態様で設けられている。これら姿勢調整部材７０は、姿勢調整底壁部７１と姿勢調整前壁部７２とが一体に成形されて構成されている。
【０１００】
姿勢調整底壁部７１は、平板状部分であり、前後方向が長手方向となる姿勢調整長孔７１ａが形成されている。この姿勢調整長孔７１ａの長手方向の長さは、デッキ４０”が収納位置から補充位置までスライド移動する長さよりも短いものである。姿勢調整長孔７１ａには、ケース本体１に配設された例えば段付きネジ等の突起体９が下方から挿通している。これにより、姿勢調整部材７０は、突起体９が姿勢調整長孔７１ａを相対的に変位することで前後方向にスライド移動可能である。
【０１０１】
姿勢調整前壁部７２は、姿勢調整底壁部７１の前端より上方に略直角に屈曲されて形成されている。この姿勢調整前壁部７２の後面には磁石７２ａが取り付けられている。
【０１０２】
以上のような構成を有するデッキ４０”においては、収納位置に配置される場合、図３５に示すように、フィルタ部材５０は、前端部の前端縁がケース本体１の前面開口１ｃの下縁部に載置されることにより、後端部が上下方向に沿って延在し、前端部が前後方向に沿って延在する水平姿勢となっている。また、姿勢調整部材７０は、突起体９が姿勢調整長孔７１ａの前端部を挿通することで最も後方の位置に配置されており、姿勢調整前壁部７２が磁力によりフィルタ部材５０のフィルタフレーム５１（第１フレーム体５１ａ）に磁力により連結してフィルタ部材５０を水平姿勢に維持している。この場合、フィルタ部材５０は、デッキ４０”の前端開口４０ａと通風ダクト３との間に介在し、前端開口４０ａ（実際にはリターングリル４６の小孔）より吸い込まれる収納室４の内部空気に含まれる塵埃物を除去することができる。
【０１０３】
そして、デッキ４０”に対する商品補充を行うために、該デッキ４０”が前方に向けてスライド移動する場合、図３６に示すように、フィルタ部材５０及び姿勢調整部材７０も該デッキ４０”とともに前方に向けてスライド移動する。この際、姿勢調整部材７０の姿勢調整前壁部７２がフィルタ部材５０のフィルタフレーム５１に磁力により連結しているので、フィルタ部材５０は水平姿勢が維持されている。
【０１０４】
その後、突起体９が姿勢調整長孔７１ａの後端部まで相対的に移動することにより、姿勢調整部材７０が最も前方の位置に配置されると、スライド移動するデッキ４０”は、補充位置に近接する切替位置に達する。そして、デッキ４０”が切替位置から前方にスライド移動すると、図３７に示すように、姿勢調整部材７０とフィルタ部材５０との磁力による連結が解除されて姿勢調整部材７０がフィルタ部材５０より離脱する。この場合、フィルタ部材５０は、フィルタ支持軸５３がケース本体１の前面開口１ｃの下縁部より前方側に位置する。
【０１０５】
そして、図３８に示すように、フィルタ部材５０が下方に揺動して前端部がケース本体１の下方前面１ｂの所定部分に当接する。
【０１０６】
上記デッキ４０”を有するショーケースによれば、フィルタ部材５０がデッキ４０”とともに前方にスライド移動し、しかも姿勢調整部材７０がフィルタ部材５０を水平姿勢に維持し、デッキ４０”が切替位置に配置される場合にフィルタ部材５０を下方に揺動させてケース本体１の下方前面１ｂの所定個所に当接させるので、フィルタ本体５２に付着した塵埃物を下方に落下させて塵埃物を容易に取り除くことができる。従って、フィルタ部材５０の清掃を容易なものとすることができる。
【０１０７】
以上、本発明の好適な実施の形態並びに変形例について説明したが、本発明はこれらに限定されるものではなく、種々の変更を行うことができる。
【０１０８】
上述した実施の形態では、棚板３０を補充位置に配置させた後に、レバー部材２３３に操作力を付与して該レバー部材２３３及びアーム部材２３２を傾斜姿勢にさせ、該レバー部材２３３に対する操作力を維持した状態で棚板３０を収納位置までスライド移動させていたが、レバー部材に操作力を付与した場合に該レバー部材を傾斜姿勢に維持する部材を設けてもよい。
【０１０９】
すなわち、レバー基部２３３ａの前端部の上端にマグネット部材ＭＧＴを設けておき、棚板３０を補充位置に配置させた状態でレバー部材２３３に操作力を付与することにより、図３９に示すように、レバー基部２３３ａの前端部の上端のマグネット部材ＭＧＴが棚板３０に磁力により当接するまで該レバー部材２３３を揺動させることで、レバー部材２３３を揺動した姿勢に維持することができる。これにより、アーム部材２３２を傾斜姿勢に保持することができる。尚、ここでは、レバー基部２３３ａの前端部の上端に設けたマグネット部材ＭＧＴを姿勢保持部材の一例として説明したが、本発明においては、姿勢保持部材は、磁力により保持するものだけに限られず、棚板の前端部に設けられていてもよい。
【０１１０】
また上述した実施の形態では、アーム部材２３２及びレバー部材２３３は、常態においては水平姿勢となるものであったが、アーム部材及びレバー部材は、常態においては傾斜姿勢となるものであってもよい。
【０１１１】
上述した実施の形態では、ブラケット部材２１に設けられた突片２１１ｃは、切り起こし状に形成されたものであって、前方から後方に向かうに連れて漸次上方に傾斜する態様で形成されていたが、突部は、ブラケット部材から外側に突出する突起や、ブラケット部材の外側に設けられたベアリング等により構成されてもよい。
【０１１２】
上述した実施の形態では、デッキ４０に設けられたフィルタ部材５０は、上下に揺動するものであったが、フィルタ部材は揺動しないものであってもよい。
【０１１３】
上述した実施の形態では、差込ガイド２６は、前方から後方に向かうに連れて漸次上方に傾斜するものであったが、本発明においては、差込ガイドは、前後方向に沿って同一の高さレベルとなるよう水平に設けられていてもよい。
【符号の説明】
【０１１４】
１  ケース本体
１ｂ  前面
１ｃ  前面開口
３  通風ダクト
４  収納室
１０  商品載置棚
２０  棚支持部材
２１  ブラケット部材
２１１ｃ  突片
２１２  上壁部
２２  補助側壁部材
２２２  棚支持部
２２３  棚支持軸
２３  傾斜支持ユニット
２３１  傾斜支持部材
２３２  アーム部材
２３３  レバー部材
２４  スライダ
３０  棚板
４０  デッキ
４０ａ  前端開口
４１  デッキ側壁部材
４２  デッキ載置板
４３  デッキスライダ
４４  デッキ用支持部材
５０  フィルタ部材
６０  ブラシ部材
７０  姿勢調整部材
【図１】
2018126484.tif 000003
【図２】
2018126484.tif 000004
【図３】
2018126484.tif 000005
【図４】
2018126484.tif 000006
【図５】
2018126484.tif 000007
【図６】
2018126484.tif 000008
【図７】
2018126484.tif 000009
【図８】
2018126484.tif 000010
【図９】
2018126484.tif 000011
【図１０】
2018126484.tif 000012
【図１１】
2018126484.tif 000013
【図１２】
2018126484.tif 000014
【図１３】
2018126484.tif 000015
【図１４】
2018126484.tif 000016
【図１５】
2018126484.tif 000017
【図１６】
2018126484.tif 000018
【図１７】
2018126484.tif 000019
【図１８】
2018126484.tif 000020
【図１９】
2018126484.tif 000021
【図２０】
2018126484.tif 000022
【図２１】
2018126484.tif 000023
【図２２】
2018126484.tif 000024
【図２３】
2018126484.tif 000025
【図２４】
2018126484.tif 000026
【図２５】
2018126484.tif 000027
【図２６】
2018126484.tif 000028
【図２７】
2018126484.tif 000029
【図２８】
2018126484.tif 000030
【図２９】
2018126484.tif 000031
【図３０】
2018126484.tif 000032
【図３１】
2018126484.tif 000033
【図３２】
2018126484.tif 000034
【図３３】
2018126484.tif 000035
【図３４】
2018126484.tif 000036
【図３５】
2018126484.tif 000037
【図３６】
2018126484.tif 000038
【図３７】
2018126484.tif 000039
【図３８】
2018126484.tif 000040
【図３９】
2018126484.tif 000041
【手続補正書】
【提出日】平成30年1月17日(2018.1.17)
【手続補正１】
【補正対象書類名】特許請求の範囲
【補正対象項目名】全文
【補正方法】変更
【補正の内容】
【特許請求の範囲】
【請求項１】
前面に開口を有したケース本体の内部に前方に向けてブラケット部材が配設され、該ブラケット部材の内側にスライダを介して取り付けられた補助側壁部材の上部に棚板が支持されることによって、前記棚板が前記開口を通じて前後方向に沿ってスライド移動可能な商品載置棚が構成されたショーケースにおいて、
前記棚板は、前端部が棚支持軸を介して前記補助側壁部材に支持され、前記棚支持軸を中心に後端縁部が前記補助側壁部材に対して上下に移動可能に配設されており、
前記補助側壁部材の外側において水平姿勢と傾斜姿勢との間で揺動可能に設けられ、前記ブラケット部材に外側に突出する態様で設けられた突部に前記傾斜姿勢で載置される場合に、前記棚板を前端縁部が低くなる態様で傾斜させるアーム部材を備えたことを特徴とするショーケース。
【請求項２】
前記アーム部材は、前記ブラケット部材の外側で前記棚板に取り付けられた傾斜支持部材に前端部がアーム支持軸を介して該アーム支持軸を中心に揺動可能に支持され、かつ前記傾斜姿勢となる場合に、上壁部が前記棚板を押圧して該棚板を傾斜させることを特徴とする請求項１に記載のショーケース。
【請求項３】
前記アーム部材は、前記水平姿勢となる場合には、前記棚板を水平にさせることを特徴とする請求項１又は請求項２に記載のショーケース。
【請求項４】
前記アーム部材は、常態においては前記水平姿勢となるものであり、かつ該水平姿勢の状態で前記棚板が後方に向けてスライド移動した場合、前記突部に載置しないで前記棚板を水平にさせることを特徴とする請求項１又は請求項２に記載のショーケース。
【請求項５】
前記傾斜支持部材に後端部がレバー支持軸を介して該レバー支持軸を中心に揺動可能に支持され、かつ該傾斜支持部材よりも前方に突出する前端部が操作されることにより揺動して前記後端部に設けられた作用片が前記アーム部材の前端部を押圧して該アーム部材を揺動させて前記傾斜姿勢にさせるレバー部材を備えたことを特徴とする請求項２〜４のいずれか１つに記載のショーケース。
【請求項６】
前記突部は、前記ブラケット部材に切り起こし状に形成されたことを特徴とする請求項１〜５のいずれか１つに記載のショーケース。
【請求項７】
前記レバー部材の前端部が操作されることにより該レバー部材が揺動した場合に、該レバー部材を揺動した姿勢に維持することで前記アーム部材を傾斜姿勢に保持する姿勢保持部材を備えたことを特徴とする請求項５に記載のショーケース。
【請求項８】
前記ブラケット部材の内側において該ブラケット部材に取り付けられたガイド支持部材に設けられ、前記ケース本体の内部に形成された収納室を上下に区画するための中間仕切部材が差し込まれた場合に該中間仕切部材を支持する差込ガイドを備えたことを特徴とする請求項１〜７に記載のショーケース。
【請求項９】
前面に開口を有したケース本体の内部に前方に向けてブラケット部材が配設され、該ブラケット部材の内側にスライダを介して取り付けられた補助側壁部材の上部に棚板が支持されることによって、前記棚板が前記開口を通じて前後方向に沿ってスライド移動可能な商品載置棚が構成されたショーケースにおいて、
前記棚板は、前端部が棚支持軸を介して前記補助側壁部材に支持され、前記棚支持軸を中心に後端縁部が前記補助側壁部材に対して上下に移動可能に配設されており、
前記ブラケット部材の外側で前記棚板に取り付けられた傾斜支持部材に前端部がアーム支持軸を介して該アーム支持軸を中心に水平姿勢と傾斜姿勢との間で揺動可能に支持され、常態においては前記水平姿勢となるアーム部材と、
前記傾斜支持部材に後端部がレバー支持軸を介して該レバー支持軸を中心に揺動可能に支持され、かつ前端部が該傾斜支持部材よりも前方に突出するレバー部材と
を備え、
前記レバー部材は、前記前端部が操作されることにより揺動して前記後端部に設けられた作用片が前記アーム部材の前端部を押圧して該アーム部材を揺動させて前記傾斜姿勢にさせるものであり、
前記アーム部材は、前記水平姿勢の状態で前記棚板が後方に向けてスライド移動した場合には、前記ブラケット部材に外側に突出する態様で切り起こし状に形成された突部に載置しないで前記棚板を水平にさせる一方、前記レバー部材に押圧されて前記傾斜姿勢の状態で前記棚板が後方に向けてスライド移動した場合には、前記突部に該傾斜姿勢で載置されて上端部が前記棚板を押圧することで該棚板を前端縁部が低くなる態様で傾斜させることを特徴とするショーケース。
【手続補正２】
【補正対象書類名】明細書
【補正対象項目名】００１３
【補正方法】変更
【補正の内容】
【００１３】
また本発明は、上記ショーケースにおいて、前記ブラケット部材の内側において該ブラケット部材に取り付けられたガイド支持部材に設けられ、前記ケース本体の内部に形成された収納室を上下に区画するための中間仕切部材が差し込まれた場合に該中間仕切部材を支持する差込ガイドを備えたことを特徴とする。
また、本発明に係るショーケースは、前面に開口を有したケース本体の内部に前方に向けてブラケット部材が配設され、該ブラケット部材の内側にスライダを介して取り付けられた補助側壁部材の上部に棚板が支持されることによって、前記棚板が前記開口を通じて前後方向に沿ってスライド移動可能な商品載置棚が構成されたショーケースにおいて、前記棚板は、前端部が棚支持軸を介して前記補助側壁部材に支持され、前記棚支持軸を中心に後端縁部が前記補助側壁部材に対して上下に移動可能に配設されており、前記ブラケット部材の外側で前記棚板に取り付けられた傾斜支持部材に前端部がアーム支持軸を介して該アーム支持軸を中心に水平姿勢と傾斜姿勢との間で揺動可能に支持され、常態においては前記水平姿勢となるアーム部材と、前記傾斜支持部材に後端部がレバー支持軸を介して該レバー支持軸を中心に揺動可能に支持され、かつ前端部が該傾斜支持部材よりも前方に突出するレバー部材とを備え、前記レバー部材は、前記前端部が操作されることにより揺動して前記後端部に設けられた作用片が前記アーム部材の前端部を押圧して該アーム部材を揺動させて前記傾斜姿勢にさせるものであり、前記アーム部材は、前記水平姿勢の状態で前記棚板が後方に向けてスライド移動した場合には、前記ブラケット部材に外側に突出する態様で切り起こし状に形成された突部に載置しないで前記棚板を水平にさせる一方、前記レバー部材に押圧されて前記傾斜姿勢の状態で前記棚板が後方に向けてスライド移動した場合には、前記突部に該傾斜姿勢で載置されて上端部が前記棚板を押圧することで該棚板を前端縁部が低くなる態様で傾斜させることを特徴とする。
【手続補正３】
【補正対象書類名】明細書
【補正対象項目名】００４４
【補正方法】変更
【補正の内容】
【００４４】
第１レバー当接片２３３ｂは、レバー基部２３３ａの後端部の下端に形成された舌片状部分を外側に略直角に屈曲させて形成されている。この第１レバー当接片２３３ｂの後端は、上方に向けて略直角に屈曲されている。第２レバー当接片２３３ｃは、アーム基部２３２ａの後端部の上端に形成された舌片状部分を外側に略直角に屈曲させて形成されている。
【手続補正４】
【補正対象書類名】図面
【補正対象項目名】図１２
【補正方法】変更
【補正の内容】
【図１２】
2018126484.tif 000042
【手続補正５】
【補正対象書類名】図面
【補正対象項目名】図１４
【補正方法】変更
【補正の内容】
【図１４】
2018126484.tif 000043
【手続補正６】
【補正対象書類名】図面
【補正対象項目名】図１５
【補正方法】変更
【補正の内容】
【図１５】
2018126484.tif 000044
【手続補正７】
【補正対象書類名】図面
【補正対象項目名】図１８
【補正方法】変更
【補正の内容】
【図１８】
2018126484.tif 000045